(57)【要約】      （修正有）【課題】建築業者等の施工業者の不正を防止し、依頼主が安心して建築状況、施工状況の確認を行うことができる構造物の施工状況確認システムを提供する。【解決手段】構造物の施工状況確認システム１０は、施工業者が構造物写真を撮影するためのカメラ機能を備えた端末装置１と、端末装置１とインターネット５を介して接続されるサーバ４と、サーバ４とインターネット５を介して接続される依頼主が使用する端末装置２とを用いて施工業者と依頼主との間で端末装置２に表示される撮影写真により施工状況の確認を行う。端末装置１は、ＧＰＳ機能を備えており、端末装置１に予め登録された施工現場の位置情報に対応する場所において撮影する場合のみ、カメラ機能のロックが解除されて撮影可能となる。【選択図】図１
2018163661.tif 000002
【特許請求の範囲】
【請求項１】
施工業者が構造物写真を撮影するためのカメラ機能を備えた端末装置１と、該端末装置１とインターネットを介して接続されるサーバと、該サーバとインターネットを介して接続される依頼主が使用する端末装置２と、を用いて施工業者と依頼主との間で前記端末装置２に表示される撮影写真により施工状況の確認を行う、構造物の施工状況確認システムにおいて、
前記端末装置１は、ＧＰＳ機能を備えており、前記端末装置１に予め登録された施工現場の位置情報に対応する場所において撮影する場合のみ、カメラ機能のロックが解除されて撮影可能となることを特徴とする構造物の施工状況確認システム。
【請求項２】
端末装置１は、高度を検出する気圧センサを備えており、前記端末装置１に予め登録された施工現場の高度情報に対応する高度において撮影する場合のみ、カメラ機能のロックが解除されて撮影可能となることを特徴とする請求項１に記載の構造物の施工状況確認システム。
【請求項３】
端末装置１は、高低差を検出する気圧センサを備えており、前記端末装置１に予め登録された施工現場の高低差情報に対応する位置において撮影する場合のみ、カメラ機能のロックが解除されて撮影可能となることを特徴とする請求項１に記載の構造物の施工状況確認システム。
【請求項４】
施工業者が構造物写真を撮影するためのカメラ機能を備えた端末装置１は、施工状況確認画面を表示させることができ、該施工状況確認画面において、予め撮影しておいた必要な撮影位置を指示する見本写真を表示させることができることを特徴とする請求項１〜３のいずれか１項に記載の構造物の施工状況確認システム。
【請求項５】
施工業者が構造物写真を撮影するためのカメラ機能を備えた端末装置１又は、サーバとインターネットを介して接続される施工業者が使用する端末装置３は、施工状況確認画面を表示させることができ、該施工状況確認画面において必要な写真が撮影されていない場合に、取り忘れていることを知らせるアラーム機能を備えていることを特徴とする請求項１〜４のいずれか１項に記載の構造物の施工状況確認システム。
【請求項６】
複数の施工現場と複数の施工業者が存在し、該施工業者が構造物写真を撮影するためのカメラ機能を備えた端末装置１が複数ある場合において、前記端末装置１及び、サーバとインターネットを介して接続される特定の施工業者が使用する端末装置３は、施工状況確認画面を表示させることができ、前記特定の施工業者は、端末装置３において、前記複数の端末装置１の各々に表示させることができる前記施工状況確認画面を、どの端末装置１に表示させるか選択することができることを特徴とする請求項１〜５のいずれか１項に記載の構造物の施工状況確認システム。
【請求項７】
依頼主が使用する端末装置２は、自己の構造物の施工状況確認画面を表示させることができ、サーバによる認証を経て前記自己の構造物の施工状況確認画面を閲覧することができることを特徴とする請求項１〜６のいずれか１項に記載の構造物の施工状況確認システム。
【請求項８】
サーバは、構造物の施工状況確認画面に表示された複数の写真データと、該写真データを編集するソフトウェアとを、パーソナルコンピュータにより読み取り可能な媒体に記録する機能を有することを特徴とする請求項４〜７のいずれか１項に記載の構造物の施工状況確認システム。
【発明の詳細な説明】
【技術分野】
【０００１】
本発明は、住宅の建築工事や構造物の設置工事の進捗状況を施主等の依頼主及び建築業者等の施工業者がインターネットを介して確認できるようにした構造物の施工状況確認システムに関するものである。
【背景技術】
【０００２】
従来から、施主がインターネットを介して住宅の建築状況を確認することができるシステムは知られており、その一例として、建築業者が工事写真の編集業務を行うための工事写真管理システムを有するサーバと、前記サーバからネットワークを介して工事写真を閲覧可能な施主の端末とを含んで構成され、施主はサーバによる認証を経て自己の工事写真を閲覧可能としたシステムがある（特許文献１）。
【先行技術文献】
【特許文献】
【０００３】
【特許文献１】特開２００１−３３１５５２号公報
【発明の概要】
【発明が解決しようとする課題】
【０００４】
しかしながら、上記特許文献１に記載のシステムでは、建築業者が工事写真の編集業務を行うに際して、必要な写真が無い場合や、不具合を隠ぺいする目的で、別の建築現場で撮影した写真を流用する不正を行う恐れがあり、これを防止する手段を有しているものではなかった。
【０００５】
本発明は、上述した問題点を解決するためになされたものであり、建築業者等の施工業者の不正を防止し、施主等の依頼主が安心して建築状況、施工状況の確認を行うことができる構造物の施工状況確認システムを提供することを目的とする。
【課題を解決するための手段】
【０００６】
請求項１の発明は、施工業者が構造物写真を撮影するためのカメラ機能を備えた端末装置１と、該端末装置１とインターネットを介して接続されるサーバと、該サーバとインターネットを介して接続される依頼主が使用する端末装置２と、を用いて施工業者と依頼主との間で前記端末装置２に表示される撮影写真により施工状況の確認を行う、構造物の施工状況確認システムにおいて、前記端末装置１は、ＧＰＳ機能を備えており、前記端末装置１に予め登録された施工現場の位置情報に対応する場所において撮影する場合のみ、カメラ機能のロックが解除されて撮影可能となることを特徴としている。
【０００７】
請求項１の発明に係る構造物の施工状況確認システムは、カメラ機能を備えた端末装置１がＧＰＳ機能も備えており、予め登録された建築現場の位置情報に対応していない場所ではカメラ撮影を行うことができないこととしたことから、必要な写真が無い場合や、不具合を隠ぺいする目的で、別の施工現場で撮影した写真を流用する不正が行われることを防止することができ、施主が安心して施工状況の確認を行うことができる。
【０００８】
請求項２の発明は、請求項１の発明において、端末装置１は、高度を検出する気圧センサを備えており、前記端末装置１に予め登録された施工現場の高度情報に対応する高度において撮影する場合のみ、カメラ機能のロックが解除されて撮影可能となることを特徴としている。
【０００９】
したがって、予め登録された施工現場の位置情報に対応する場所であっても、予め登録された施工現場の高度情報に対応する高度でなければカメラ機能のロックが解除されず撮影することはできないこととしたことから、必要な写真が無い場合や、不具合を隠ぺいする目的で、別の施工現場で撮影した写真を流用する不正が行われることを防止することができ、施主が安心して施工状況の確認を行うことができる。
【００１０】
請求項３の発明は、請求項１の発明において、端末装置１は、高低差を検出する気圧センサを備えており、前記端末装置１に予め登録された施工現場の高低差情報に対応する位置において撮影する場合のみ、カメラ機能のロックが解除されて撮影可能となることを特徴としている。
【００１１】
したがって、予め登録された施工現場の位置情報に対応する場所であっても、予め登録された施工現場の高低差情報に対応する位置でなければカメラ機能のロックが解除されず撮影することはできないこととしたことから、必要な写真が無い場合や、不具合を隠ぺいする目的で、別の施工現場で撮影した写真を流用する不正が行われることを防止することができ、施主が安心して施工状況の確認を行うことができる。
【００１２】
請求項４の発明は、請求項１〜３のいずれかの発明において、施工業者が構造物写真を撮影するためのカメラ機能を備えた端末装置１は、施工状況確認画面を表示させることができ、該施工状況確認画面において、予め撮影しておいた必要な撮影位置を指示する見本写真を表示させることができることを特徴としている。
【００１３】
したがって、施工現場で撮影を行う施工業者が、施工状況確認画面で必要な写真を撮り忘れることを防ぐと共に、適切な撮影位置や撮影方向を事前に確認することができ、写真の取り直しを減らすことができる。
【００１４】
請求項５の発明は、請求項１〜４のいずれかの発明において、施工業者が構造物写真を撮影するためのカメラ機能を備えた端末装置１又は、サーバとインターネットを介して接続される施工業者が使用する端末装置３は、施工状況確認画面を表示させることができ、該施工状況確認画面において必要な写真が撮影されていない場合に、取り忘れていることを知らせるアラーム機能を備えていることを特徴としている。
【００１５】
したがって、必要な写真が撮影されていない場合は、施工業者側の端末装置１又は端末装置３で、その旨を知ることができるので、必要な写真を撮り忘れるのを防ぐことができる。
【００１６】
請求項６の発明は、請求項１〜５のいずれかの発明において、複数の施工現場と複数の施工業者が存在し、該施工業者が構造物写真を撮影するためのカメラ機能を備えた端末装置１が複数ある場合において、前記端末装置１及び、サーバとインターネットを介して接続される特定の施工業者が使用する端末装置３は、施工状況確認画面を表示させることができ、前記特定の施工業者は、端末装置３において、前記複数の端末装置１の各々に表示させることができる前記施工状況確認画面を、どの端末装置１に表示させるか選択することができることを特徴としている。
【００１７】
したがって、特定の施工業者は、施工現場ごとに担当させる施工業者を把握することができると共に、担当させる施工業者以外の施工業者に施工現場の情報が漏れるのを防ぐことができる。
【００１８】
請求項７の発明は、請求項１〜６のいずれかの発明において、依頼主が使用する端末装置２は、自己の施工状況確認画面を表示させることができ、サーバによる認証を経て前記自己の施工状況確認画面を閲覧することができることを特徴としている。
【００１９】
したがって、依頼主以外の者がサーバに不正にアクセスして閲覧するのを防ぐことができ、依頼主以外の者に構造物の情報が流出するのを防ぐことができる。
【００２０】
請求項８の発明は、請求項４〜７のいずれかの発明において、サーバは、構造物の施工状況確認画面に表示された複数の写真データと、該写真データを編集するソフトウェアとを、パーソナルコンピュータにより読み取り可能な媒体に記録する機能を有することを特徴としている。
【００２１】
したがって、住宅建築等の構造物が完成した時に、建築経過を時系列的に編集し、記憶媒体又は、印刷してアルバムとして施主に贈呈することができる。
【発明の効果】
【００２２】
請求項１〜３の発明では、別の施工現場で撮影した写真を流用する不正が行われることを防止することができ、依頼主が安心して施工状況の確認を行うことができる。また、請求項４の発明では、必要な写真を撮り忘れることを防ぐと共に、適切な撮影位置や撮影方向を事前に確認することができ、写真の取り直しを減らすことができる。さらに、請求項５の発明では、必要な写真が撮影されていない場合は、施工業者側の端末装置で、その旨を知ることができるので、必要な写真を撮り忘れるのを防ぐことができる。
【００２３】
また、請求項６の発明では、特定の施工業者は施工現場ごとに担当させる施工業者を把握することができると共に、担当させる施工業者以外の施工業者に施工現場の情報が漏れるのを防ぐことができる。また、請求項７の発明では、依頼主以外の者がサーバに不正にアクセスして閲覧するのを防ぐことができ、依頼主以外の者に構造物の情報が流出するのを防ぐことができる。また、請求項８の発明では、住宅建築等の構造物が完成した時に、建築経過を時系列的に編集し、記憶媒体又は、印刷してアルバムとして施主に贈呈することができる。
【図面の簡単な説明】
【００２４】
【図１】本発明に係る構造物の施工状況確認システムの概略を示す概念図である。
【図２】ログイン画面を示す図である。
【図３】工程詳細画面の一例を示す図である。
【図４】工程詳細画面の一例を示す図である。
【図５】撮影画面の一例を示す図である。
【図６】工程一覧画面の一例を示す図である。
【図７】現場一覧画面の一例を示す図である。
【図８】撮影画面の他例を示す図である。
【図９】端末装置にインストールされた専用ソフトウェアにより表示される各画面を示す説明図である。
【図１０】管理機能画面の一例を示す図である。
【図１１】依頼主が使用する端末装置に表示される工程カテゴリー画面の一例を示す図である。
【図１２】依頼主が使用する端末装置に表示される工程一覧画面の一例を示す図である。
【図１３】依頼主が使用する端末装置に表示される工程詳細画面の一例を示す図である。
【発明を実施するための形態】
【００２５】
次に、本発明の実施形態を図面に基づいて説明する。図１は、本発明に係る構造物の施工状況確認システムの概略を示す概念図である。本発明に係る構造物の施工状況確認システム１０は、建築物に限らず、電柱や道路標識等を含む構造物全般の施工に適用されるものであるが、一例として、構造物が建築物であり、施工業者が建築業者であり、施工現場が建築現場である場合について以下に説明する。
【００２６】
建築業者が建築写真を撮影するためのカメラ機能を備えた端末装置１と、端末装置１とインターネット５を介して接続されるサーバ４と、サーバ４とインターネット５を介して接続される依頼主が使用する端末装置２とを用いて建築業者と依頼主との間で端末装置２に表示される撮影写真により建築状況の確認を行うシステムである。
【００２７】
そして、端末装置１は、ＧＰＳ機能を備えており、端末装置１に予め登録された建築現場の位置情報に対応する場所において撮影する場合のみ、カメラ機能のロックが解除されて撮影可能となるようにしている。
【００２８】
具体的には、端末装置１にインストールされている専用のソフトウェアが、端末装置１に予め登録されている建築現場の位置情報と、ＧＰＳ機能により得られる実際の位置情報とを比較して、直線距離で１００ｍを超えてずれている場合には、端末装置１のカメラ機能がロックされた状態となり、写真撮影を行うことができないようにしている。ここで、カメラ機能がロックされた状態の一例として、後述するように、端末装置１がタッチパネルを備えたスマートフォンやタブレットの場合には、専用ソフトウェアによって、撮影ボタンが表示されない状態を挙げることができる。
【００２９】
尚、専用のソフトウェアがインストールされていない端末装置やデジタルカメラを使用して建築現場の写真を撮影した場合には、サーバ４のユーザサイト４ａの所定の位置に、撮影された写真を表示させることができない構成としている。
【００３０】
これにより、必要な写真が無い場合や、不具合を隠ぺいする目的で、別の建築現場で撮影した写真を流用する不正が行われることを防止することができる。また、ＧＰＳ機能を備えた端末装置１で撮影された写真データに位置情報が記載される構成とすることもできる。
【００３１】
そして、端末装置１にインストールされている専用のソフトウェアが、端末装置１に予め登録されている建築現場の位置情報と、ＧＰＳ機能により得られる実際の位置情報とを比較して、直線距離で１００ｍ以内の場合には、端末装置１のカメラ機能のロックが解除された状態となり、写真撮影を行うことができるようにしている。ここで、カメラ機能のロックが解除された状態の一例として、後述するように、端末装置１がタッチパネルを備えたスマートフォンやタブレットの場合には、専用ソフトウェアによって、撮影ボタンを表示する状態を挙げることができる。尚、上述の例では、端末装置１に予め登録されている建築現場の位置情報と、ＧＰＳ機能により得られる実際の位置情報とを比較して、直線距離で１００ｍ以内の場合に写真撮影が可能となるようにしているが、本発明はこれに限定されるものでは無く、一例である。そして、撮影された写真データは、インターネット５を介してサーバ４に蓄積されると共に、該サーバ４のユーザサイト４ａの所定の位置に撮影された写真が表示される。依頼主は、専用のソフトウェアがインストールされている端末装置２を使用し、サーバ４のユーザサイト４ａにアクセスして、安心して建築状況の確認を行うことができる。
【００３２】
また、別の方法として、端末装置１は、ＧＰＳ機能を備えており、端末装置１に予め登録された建築現場の位置情報に対応する場所において撮影された場合の写真のみが、端末装置２の所定の画面に表示可能となるようにしてもよい。
【００３３】
具体的には、端末装置１にインストールされている専用のソフトウェアが、端末装置１に予め登録されている建築現場の位置情報と、端末装置１のカメラ機能により撮影されると共に、ＧＰＳ機能により得られる実際の位置情報が組み込まれている写真データとを比較して、直線距離で１００ｍを超えてずれている場合には、サーバ４のユーザサイト４ａの所定の位置に、撮影された写真を表示させることができない。即ち、端末装置２の所定の画面に表示させることができない構成としている。
【００３４】
これにより、必要な写真が無い場合や、不具合を隠ぺいする目的で、別の建築現場で撮影した写真を流用する不正が行われることを防止することができる。
【００３５】
そして、端末装置１にインストールされている専用のソフトウェアが、端末装置１に予め登録されている建築現場の位置情報と、ＧＰＳ機能により得られる実際の位置情報とを比較して、直線距離で１００ｍ以内の場合には、撮影された写真データは、インターネット５を介してサーバ４に蓄積されると共に、該サーバ４のユーザサイト４ａの所定の位置に撮影された写真が表示される。依頼主は、専用のソフトウェアがインストールされている端末装置２を使用し、サーバ４のユーザサイト４ａにアクセスして、安心して建築状況の確認を行うことができる。尚、上述の例では、端末装置１に予め登録されている建築現場の位置情報と、ＧＰＳ機能により得られる実際の位置情報とを比較して、直線距離で１００ｍ以内の場合にユーザサイト４ａの所定の位置に撮影された写真が表示されるとしているが、本発明はこれに限定されるものでは無く、一例である。
【００３６】
また、端末装置１にＧＰＳ機能に加えて高度を検出する気圧センサを備えさせて、前記端末装置１に予め登録された施工現場の高度情報に対応する高度において撮影する場合のみ、カメラ機能のロックが解除されて撮影可能となる構成とすることができる。これにより、予め登録された施工現場の位置情報に対応する場所であっても、予め登録された施工現場の高度情報に対応する高度でなければカメラ機能のロックが解除されず撮影することはできない。この気圧センサは、道路上に電柱や道路標識を設置する際や、高層マンションにおいて各々の住居の施工現場を撮影する際に利用することができる。また、気圧センサを備えた端末装置１で撮影された写真データに高度情報が記載される構成とすることもできる。
【００３７】
また、端末装置１にＧＰＳ機能に加えて高低差を検出する気圧センサを備えさせて、前記端末装置１に予め登録された施工現場の高低差情報に対応する位置において撮影する場合のみ、カメラ機能のロックが解除されて撮影可能となる構成とすることができる。これにより、予め登録された施工現場の位置情報に対応する場所であっても、予め登録された施工現場の高低差情報に対応する高度でなければカメラ機能のロックが解除されず撮影することはできない。また、気圧センサを備えた端末装置１で撮影された写真データに高低差情報が記載される構成とすることもできる。この気圧センサは、高層マンションにおいて各々の住居の施工現場を撮影する際に利用することができる。例えば、１階の住居の施工現場であるバスルームを撮影した後、同じ間取りの２階の住居の施工現場であるバスルームを撮影する場合に、予め登録された施工現場の高低差情報に対応する高度でなければカメラ機能のロックが解除されず撮影することはできない。また、気圧センサを備えた端末装置１で撮影された写真データに高低差情報が記載される構成としておけば、１階の住居の施工現場であるバスルームで撮影された写真データを２階以上の階の他の住居の施工現場写真として使い回すことを防ぐことができる。
【００３８】
上述した高度又は高低差を検出する気圧センサの一例として、ローム株式会社製の（ＢＭ１３８３ＧＬＶ）を挙げることができる。同小型気圧センサＩＣは、スマートフォンやタブレット端末に搭載することができるＩＣチップであり、±２０ｃｍの相対高度精度にて測定することができる。
【００３９】
尚、建築業者が建築写真を撮影するためのカメラ機能を備えた端末装置１又は、サーバ４とインターネット５を介して接続される建築業者が使用する端末装置３にインストールされている専用のソフトウェアは、ユーザサイト４ａの施工状況確認画面（後述する工程一覧画面）において必要な写真が撮影されていない場合に、取り忘れていることを知らせるアラーム機能を備えている。
【００４０】
これにより、必要な写真が撮影されていない場合は、建築業者側の端末装置１又は端末装置３で、その旨を知ることができるので、必要な写真を撮り忘れるのを防ぐことができる。
【００４１】
尚、サーバ４は、施工状況確認画面（後述する工程一覧画面）に表示された複数の写真データと、該写真データを編集するソフトウェアとを、パーソナルコンピュータにより読み取り可能な媒体に記録する機能を備えるものであって、施工状況確認画面に表示された複数の写真データには、撮影された場所の位置情報が含まれているものであり、写真データを編集するソフトウェアは、予め登録された建築現場の位置情報に対応しない写真データを編集することができない構成とすることができる。
【００４２】
これにより、住宅建築が完成した時に、建築経過を時系列的に編集し、記憶媒体又は、印刷してアルバムとして施主に贈呈することができると共に、写真データの編集段階において、別の場所で撮影された写真が紛れ込むのを防ぐことができる。
【００４３】
図２は、ログイン画面を示す図である。ログイン画面２０は、図１に示した端末装置１、端末装置２及び端末装置３の各々にインストールされている専用のソフトウェアを起動させると最初に表示される画面である。
【００４４】
そして、端末装置１〜３の使用者が、サーバ４へのアクセスを可能とするためには、事前にアカウントの登録を行い、ＩＤとパスワードとが発行される構成としている。これにより、端末装置１〜３を使用する際には、必ず、サーバ４による認証が行われることとなり、ＩＤとパスワードが一致しない場合には、端末装置１〜３にインストールされている専用ソフトウェアを利用することができない。
【００４５】
これにより、例えば、施主以外の者がサーバ４に不正にアクセスして施工状況確認画面を閲覧するのを防ぐことができ、依頼主以外の者に構造物の情報が流出するのを防ぐことができる。
【００４６】
図３及び図４は、工程詳細画面の一例を示す図である。建築業者が建築写真を撮影するためのカメラ機能を備えた端末装置１では、専用のソフトウェアを起動させて、図２に示したサーバ４による認証が完了すると、工程詳細画面３０又は３０ａへと移ることができる。この工程詳細画面３０又は３０ａは、事前に、必要な撮影位置を指示する見本写真３１が薄い灰色で表示されている。
【００４７】
これにより、建築現場で撮影を行う建築業者が、工程詳細画面３０又は３０ａで適切な撮影位置や撮影方向を事前に確認することができ、写真の取り直しを減らすことができる。
【００４８】
尚、図３及び図４は、端末装置１として、タッチパネルを備えたスマートフォンやタブレットを使用する場合を示しており、タッチパネルに表示された登録・更新ボタン３２にタッチすることによって、撮影された写真の登録又は更新が行われるようにしている。
【００４９】
また、図３に示すように、端末装置１に予め登録されている建築現場の位置情報と、ＧＰＳ機能により得られる実際の位置情報とを比較して、直線距離で１００ｍを超えてずれている場合には、端末装置１のカメラ機能がロックされた状態となり、写真撮影を行うことができず、「現場から１００．０ｍ以内で撮影してください。」と記載されたエラー画面３３が表示される。
【００５０】
また、図４に示すように、建築現場の位置情報と実際の位置情報とを比較して、直線距離で１００ｍ以内の場合には、撮影ボタン３４、コメント入力欄３５及び登録・更新ボタン３２が表示される。
【００５１】
図５は、撮影画面の一例を示す図である。図４に示した工程詳細画面３０ａにおいて、撮影ボタン３４をタッチすると、図５に示す撮影画面が表示される。この撮影画面では、カメラレンズを介した実際の撮影現場の画像３６が表示されると共に、この実際の撮影現場の画像３６の下に、図３及び図４に示した見本写真３１が薄い灰色で重ね合わせて表示されており、所定の撮影位置でシャッターボタン３７をタッチすることにより、実際の撮影現場の画像３６の撮影が完了する。尚、撮影を中止する場合には、キャンセル表示部分３８をタッチすることによって、図４に示した工程詳細画面３０ａに戻ることとなる。
【００５２】
図５における撮影画面で撮影が完了すると、図４に示した工程詳細画面３０ａが表示される。この時には見本写真３１は、実際に撮影された写真に替わっており、この写真で登録する場合には、登録・更新ボタン３２をタッチすることによって、登録が完了する。取り直したい場合には、再度撮影ボタン３４をタッチすると図５の撮影画面へと移って写真を撮り直すことができる。
【００５３】
図６は、工程一覧画面の一例を示す図である。建築業者が建築写真を撮影するためのカメラ機能を備えた端末装置１では、専用のソフトウェアを起動させて、図２に示したサーバ４による認証が完了すると、工程一覧画面４０へと移ることができる。この工程一覧画面４０は、写真撮影が必要な工程の一覧が表示されており、図３及び図４で示した工程詳細画面３０、３０ａと同様に、事前に、必要な撮影位置を指示する見本写真４１が薄い灰色で表示されており、実際に撮影された写真が登録されると見本写真４１が実際に撮影された写真に替わる構成としている。尚、端末装置３においても図６に示す工程一覧画面を閲覧することができる。
【００５４】
尚、前述したとおり、端末装置１又は端末装置３にインストールされている専用のソフトウェアは、必要な写真が撮影されていない場合に、取り忘れていることを知らせるアラーム機能を備えており、図６に示すように、工程一覧画面４０において、見本写真４１の右側に「写真が撮影されていません」とのアラーム文字４２が表示される。尚、見本写真４１に対応する写真撮影を必要としない場合もある。その場合には、図４で示したコメント入力欄３５に写真は不要である旨のコメントを入力することによって、アラーム文字４２の表示が消える構成としている。尚、特許請求の範囲における「施工状況確認画面」とは、建築物等の構造物の施工状況を確認することができる画面を意味する用語であり、図６に示す工程一覧画面が対応する構成である。
【００５５】
図７は、現場一覧画面の一例を示す図であり、端末装置１と端末装置３で表示される画面である。現場一覧画面５０は、図７に示すように、同時に進行している建築現場が複数ある場合において、地図５１上に建築現場の位置を表示させることができると共に、登録された依頼主名のボタン５２をタップすることによって、図６で示した対応する工程一覧画面４０へと移ることができるので、写真撮影を行う位置を間違えるのを防ぐことができる。
【００５６】
尚、施工現場が複数ある場合には、端末装置３を特定の施工業者（例えば元請）が所有し、端末装置１を複数の施工業者（例えば下請）が各々所有するようにし、前記特定の施工業者は、端末装置３において、前記複数の端末装置１の各々に表示させることができる前記施工状況確認画面を含む施工現場の情報を、どの端末装置１に表示させるか選択することができるようにしている。これにより、特定の施工業者は、施工現場ごとに担当する施工業者を把握することができ、担当する施工業者以外の施工業者に施工現場の情報が漏れるのを防ぐことができる。
【００５７】
図８は、撮影画面の他例を示す図である。図８に示すように撮影画面６０ａは、実際の現場の画像を撮影する前の状態であり、見本写真６１が薄い灰色で表示されている。この状態からカメラのレンズに映る実際の現場の画像を上から重ね合わせて表示させた状態で、画面をタップすることによって、撮影画面６０ｂには、実際に撮影された写真６２が表示される。また、コメント欄６３が表示され、コメントを入力することができるようになっている。
【００５８】
そして、登録ボタン６５をタッチすることによって、登録され、図６に示した工程一覧画面４０に表示されると共に、アラーム文字４２が非表示となる。また、再撮影を行いたい場合には、再撮影ボタン６４をタッチすることによって、撮影画面６０ａに戻ることとなる。
【００５９】
図９は、端末装置１と端末装置３にインストールされた専用ソフトウェアにより表示される各画面を示す説明図である。前述したとおり、専用ソフトウェアを利用するためには、事前に発行されたＩＤとパスワードが一致していなければならない。パスワードやＩＤを忘れた場合には、パスワードやＩＤを事前に登録されたメールアドレスに通知するための手続きを専用の画面で行うことができる。
【００６０】
ログインが完了すると、図７において説明したとおり、現場一覧画面が表示される。この現場一覧画面は端末装置のＧＰＳ機能と連動している。そして、現場一覧画面で表示されている現場の一つを選択すると、その現場の工程一覧を示す画面が表示される。工程一覧画面は、図６において説明したとおり、必要な写真を撮り忘れている場合には、撮り忘れを知らせるアラーム表示がされる。
【００６１】
工程一覧画面で表示されている工程の一つを選択すると、工程詳細画面が表示される。工程詳細画面は、図３及び図４において説明したとおり、端末装置１に備えられているＧＰＳ機能と連動しており、端末装置１に予め登録されている建築現場の位置情報と、ＧＰＳ機能により得られる実際の位置情報とを比較して、直線距離で１００ｍを超えてずれている場合には、端末装置１のカメラ機能がロックされた状態、即ち、撮影ボタンが表示されず、エラー画面が表示された状態となる。
【００６２】
建築現場の位置情報と実際の位置情報とを比較して、直線距離で１００ｍ以内の場合には、図４に示す工程詳細画面となり、撮影ボタン３４、コメント入力欄３５及び登録・更新ボタン３２が表示される。この画面上で撮影ボタン３４を押すと、図５において説明した撮影画面となる。尚、撮影画面が表示された状態においてもＧＰＳ機能と連動しており、予め登録されている建築現場の位置情報と、ＧＰＳ機能により得られる実際の位置情報とを比較して、直線距離で１００ｍを超えてずれている場合には、端末装置１のカメラ機能がロックされた状態、即ち、撮影ボタンが表示されず、エラー画面が表示される図３で示した状態へ戻ることとなる。
【００６３】
図１０は、管理機能画面の一例を示す図である。管理機能画面７０は、図１の管理サイト４ｂに保存されている画面であり、端末装置３にインストールされた専用ソフトウェアにより見ることができる。そして、図６に示した工程一覧画面よりも多くの工程名７５を含んでおり、写真７１の欄は見本写真又は現場で実際に撮影された写真が表示されている。
【００６４】
管理者は、この管理機能画面７０において、施工業者の端末装置１で表示させる場合にはチェックボックス７２にチェックを入れ、依頼主の端末装置２で表示させる場合にはチェックボックス７３にチェックを入れる。また、端末装置１及び２において非表示としたい場合には、チェックボックス７４にチェックを入れる。
【００６５】
図１１は、依頼主が使用する端末装置に表示される工程カテゴリー画面の一例を示す図であり、図１２は、依頼主が使用する端末装置に表示される工程一覧画面の一例を示す図である。また、図１３は、依頼主が使用する端末装置に表示される工程詳細画面の一例を示す図である。これらの図を用いて依頼主が使用する端末装置に表示される画面について説明する。
【００６６】
前述したとおり、依頼主が使用する端末装置２は、インストールされている専用のソフトウェアを起動させると図２に示すログイン画面２０が最初に表示される。そして、ＩＤとパスワードを入力し、ログインボタンをタッチすると、図１１に示す工程カテゴリー画面８０が表示される。工程カテゴリー画面８０には、住宅建築における各工程がカテゴリー別に分けられて表示されている。この工程カテゴリー画面８０において、例えば、「３  基礎」の欄をタッチすると、図１２に示す基礎の工程の一覧を示す工程一覧画面９０が表示される。この工程一覧画面９０において、例えば、「２  改良完了２」の欄をタッチすると、図１３の工程詳細画面１００に示すように、土壌改良工事が完了した状態の写真が表示される。
【００６７】
工程一覧画面９０及び工程詳細画面１００に表示される写真は、図６に示す端末装置１又は端末装置３の工程一覧画面４０に表示される写真の一部を構成している。したがって、必要な写真が無い場合や、不具合を隠ぺいする目的で、別の建築現場で撮影した写真を流用する不正が行われることが防止されているので、施主は、安心して建築状況の確認を行うことができる。
【００６８】
尚、特許請求の範囲における「自己の構造物の施工状況確認画面」とは、依頼主が施工状況を確認することができる画面を意味する用語であり、図１２に示す工程一覧画面９０及び図１３に示す工程詳細画面１００が対応する構成である。
【産業上の利用可能性】
【００６９】
本発明の構造物の施工状況確認システムは、住宅の建築工事等の構造物の施工の進捗状況を依頼主及び施工業者がインターネットを介して確認するために使用される。
【符号の説明】
【００７０】
１、２、３  端末装置
４  サーバ
５  インターネット
１０  構造物の施工状況確認システム
【図１】
2018163661.tif 000003
【図２】
2018163661.tif 000004
【図３】
2018163661.tif 000005
【図４】
2018163661.tif 000006
【図５】
2018163661.tif 000007
【図６】
2018163661.tif 000008
【図７】
2018163661.tif 000009
【図８】
2018163661.tif 000010
【図９】
2018163661.tif 000011
【図１０】
2018163661.tif 000012
【図１１】
2018163661.tif 000013
【図１２】
2018163661.tif 000014
【図１３】
2018163661.tif 000015